(57)【要約】【課題】騒音の低減が可能な空気調和装置の室外機およびその組立方法を提供することを目的とする。【解決手段】圧縮機と、圧縮機の周囲を覆う複数の外板２と、複数の外板２の内壁側に設けられる吸音材６と、外板２ａに設けられた穴部４に挿入されて、圧縮機側に突出する把持部５と、を備え、把持部５に対向する吸音材６の一部には、把持部５が穴部４に挿入された際に、把持部５によって吸音材６の一部が圧縮機側に倒れ込むスリット７が設けられることを特徴とする。【選択図】図３
2012063114.tif 000002
【特許請求の範囲】
【請求項１】
圧縮機と、
該圧縮機の周囲を覆う複数の外板と、
複数の該外板の内壁側に設けられる吸音材と、
前記外板に設けられた穴部に挿入されて、前記圧縮機側に突出する把持部と、を備える空気調和装置の室外機であって、
前記把持部に対向する前記吸音材の一部には、前記把持部が前記穴部に挿入された際に、前記把持部によって前記吸音材の一部が前記圧縮機側に倒れ込むスリットが設けられることを特徴とする空気調和装置の室外機。
【請求項２】
圧縮機と、
該圧縮機の周囲を覆う複数の外板と、
複数の該外板の内壁側に設けられる吸音材と、
前記外板に設けられた穴部に挿入されて、前記圧縮機側に突出する把持部と、
該把持部が前記穴部に挿入された際に、前記把持部によって前記吸音材の一部が前記圧縮機側に倒れ込むように設けたスリットと、を備える空気調和装置の室外機の組立方法であって、
前記圧縮機の周囲に吸音材を設けて、該吸音材の外側に複数の前記外板を設けてから、該外板の穴部に前記把持部を挿入することを特徴とする空気調和装置の室外機の組立方法。
【発明の詳細な説明】
【技術分野】
【０００１】
本発明は、空気調和装置の室外機およびその組立方法に関し、防音に関するものである。
【背景技術】
【０００２】
近年は、室内機と室外機とからなる分離型空気調和装置の室外機の低騒音化が市場よりの大きな要望事項となっている。室外機で大きな騒音となるのは電動機を内蔵した圧縮機の運転音であるため、この圧縮機の防音対策が重要となる。
【０００３】
このような圧縮機の防音対策として最も一般的なものとしては、フェルト等の吸音材や遮音材からなる防音カバーを圧縮機本体に直接巻き付けるようにしたものや、圧縮機本体の周囲に遮蔽板を設けることが知られている（例えば、特許文献１または特許文献２）。
【０００４】
防音カバーが巻きつけられた圧縮機本体の外側は、ゴムシートに吸音フェルトからなるインシュレーションによって更に覆われて防音対策が施されている。ところが、室外機の外板（サービスパネルまたはリアパネル等）に設けられている取付穴部に作業者が把持するための把持部を設けた場合には、把持部が作業者の手が挿入されて把持可能とされた凹部に対応して外方向に突出している突出部を有しているため、この突出部がインシュレーションを圧縮機側に押し付けようとする。しかし、インシュレーションが変形しにくいため、把持部の押し付けによってインシュレーションを部分的に変形させることが困難であるという問題があった。
【０００５】
また、インシュレーションを強制的に変形させた場合であっても、圧縮機周りには配管が複雑に配置されているため変形したインシュレーションが配管にあたってしまう恐れがあった。そのため、従来では、把持部の突出部が貫通するための穴をインシュレーションに設けていた。
【０００６】
圧縮機の防音対策として、特許文献１には、圧縮機の周囲を防音筐体によって覆うことが開示されている。
また、特許文献２には、圧縮機を内蔵しているキャビネットに設けられている換気用の穴を覆うようにして吸音材を張り付けた遮蔽板を設けることが開示されている。
【先行技術文献】
【特許文献】
【０００７】
【特許文献１】特開２０１０−１２１８５３号公報
【特許文献２】特開昭５８−２１０４６７号公報
【発明の概要】
【発明が解決しようとする課題】
【０００８】
しかしながら、室外機の外板の取付穴部に突出部を有する把持部を設ける場合には、インシュレーションに穴を設ける必要があるため、騒音を抑制することが困難であるという問題があった。
【０００９】
本発明は、このような事情に鑑みてなされたものであって、騒音の低減が可能な空気調和装置の室外機およびその組立方法を提供することを目的とする。
【課題を解決するための手段】
【００１０】
上記目的を達成するために、本発明は、以下の手段を提供する。
本発明に係る空気調和装置の室外機によれば、圧縮機と、該圧縮機の周囲を覆う複数の外板と、複数の該外板の内壁側に設けられる吸音材と、前記外板に設けられた穴部に挿入されて、前記圧縮機側に突出する把持部と、を備える空気調和装置の室外機であって、前記把持部に対向する前記吸音材の一部には、前記把持部が前記穴部に挿入された際に、前記把持部によって前記吸音材の一部が前記圧縮機側に倒れ込むスリットが設けられることを特徴とする。
【００１１】
圧縮機の外周を覆う外板の穴部に把持部が挿入された際に、圧縮機の周囲を覆う吸音材の一部が把持部によって圧縮機側に倒れ込むようにスリットを設けることとした。これにより、把持部に押し付けられて圧縮機側に倒れ込んだ吸音材が把持部の突出部に当接する。そのため、従来、把持部を取り付けるために吸音材に設けられていた穴に比べて、吸音材に形成される隙間を小さくすることができる。したがって、吸音材のスリットから洩れる騒音を低減することができる。
【００１２】
本発明に係る空気調和装置の室外機の組立方法によれば、圧縮機と、該圧縮機の周囲を覆う複数の外板と、複数の該外板の内壁側に設けられる吸音材と、前記外板に設けられた穴部に挿入されて、前記圧縮機側に突出する把持部と、該把持部が前記穴部に挿入された際に、前記把持部によって前記吸音材の一部が前記圧縮機側に倒れ込むように設けたスリットと、を備える空気調和装置の室外機の組立方法であって、前記圧縮機の周囲に吸音材を設けて、該吸音材の外側に複数の前記外板を設けてから、該外板の穴部に前記把持部を挿入することを特徴とする。
【００１３】
スリットを設けた吸音材を圧縮機の周囲に設けた後、吸音材の外側を囲むようにして把持部が挿入される穴部を有する外板を設けて、外板の穴部に把持部を挿入することとした。これにより、把持部によって押し付けられて圧縮機側に倒れ込んだ吸音材が把持部の突出部に当接する。そのため、従来、吸音材に設けられていた穴に把持部を挿入して室外機を組立方法に比べて、吸音材に形成される隙間を小さくすることができる。したがって、吸音材のスリットから洩れる騒音を低減することができる。
【発明の効果】
【００１４】
本発明に係る空気調和装置の室外機によれば、圧縮機の外周を覆う外板の穴部に把持部が挿入された際に、圧縮機の周囲を覆う吸音材の一部が把持部によって圧縮機側に倒れ込むようにスリットを設けることとした。これにより、把持部によって押し付けられて圧縮機側に倒れ込んだ吸音材が把持部の突出部に当接する。そのため、従来、把持部を取り付けるために吸音材に設けられていた穴に比べて、吸音材に形成される隙間を小さくすることができる。したがって、吸音材のスリットから洩れる騒音を低減することができる。
【図面の簡単な説明】
【００１５】
【図１】本発明の一実施形態に係る空気調和装置の室外機の外観図であり、（Ａ）は、その正面図であり、（Ｂ）は、その背面図である。
【図２】図１に示した室外機を構成している圧縮機側室外機の外観図であり、（Ａ）は、その正面図であり、（Ｂ）は、その側面図であり、（Ｃ）は、その背面図である。
【図３】図２に示す圧縮機側室外機に設けられる把持部と吸音材との部分断面図である。
【図４】図３に示す吸音材に設けられるスリットの形状を示す図である。
【図５】図４に示すスリットの形状の変形例である。
【発明を実施するための形態】
【００１６】
本発明の一実施形態に係る空気調和装置の室外機について、図１から図４を参照しながら説明する。
図１には、本実施形態に係る空気調和装置の室外機の外観図を示し、（Ａ）は、その正面図であり、（Ｂ）は、その背面図である。また、図２には、図１に示した室外機を構成している圧縮機側室外機の外観図を示し、（Ａ）は、その正面図であり、（Ｂ）は、その側面図であり、（Ｃ）は、その背面図である。さらに、図３には、図２に示す圧縮機側室外機に設けられる把持部と吸音材との部分断面図を示し、図４には、吸音材に設けられるスリットの形状が示されている。
【００１７】
空気調和装置の室外機１は、室内機（図示せず）に対して冷媒配管を介して接続されている。室外機１は、その内部には駆動モータ（図示せず）により冷媒を圧縮する圧縮機（図示せず）、室外熱交換器（図示せず）、ファンモータ（図示せず）、室外ファン（図示せず）等が設けられている。
【００１８】
室外機１は、室外熱交換器、ファンモータおよび室外ファン等が設けられているファン側室外機１ａと、圧縮機側室外機１ｂとに分離可能となっている。圧縮機側室外機１ｂは、ファン側室外機１ａの側方に隣接して設けられている。
【００１９】
ファン側室外機１ａ内には、室外熱交換器がファン側室外機１ａの背面側に設置されている。ファンモータは、ファン側室外機１ａの背面側に螺子で固定されており、そのファンモータの駆動軸を延長した端部には室外ファンが固定されている。
【００２０】
圧縮機側室外機１ｂには、圧縮機（図示せず）と、圧縮機の周囲を覆っている複数の外板（サービスパネル）２と、複数の外板２の内壁側に設けられてい吸音材６（図３参照）と、外板２に設けられている取付穴部４（図２参照）に挿入されて圧縮機側に突出している突出部５ｂ（図３参照）を有している把持部５とが設けられている。
【００２１】
圧縮機は、円筒状のケーシング（図示せず）内に格納されている密閉型であり、例えばスクロール型圧縮機構が用いられる。圧縮機のケーシングの外周には、防音および断熱用の壁状のインシュレーション（図示せず）が上下面および側面に設けられている。
【００２２】
外板２は、インシュレーションによって覆われている圧縮機の側面と上下面とを覆っている。底面部（下面部）の外板２上には、インシュレーションによって覆われている圧縮機が固定されている。圧縮機側室外機１ｂを形成している側面の外板２のうち正面側の外板（フロントパネル）２ａおよび背面側の外板（リアパネル）２ｂには、各々把持部５の突出部５ｂが挿入される取付穴部（穴部）４が設けられている。
【００２３】
把持部５は、図３に示すように、作業者の手（図示せず）が挿入されて把持可能とされた凹部５ａが設けられるとともに、凹部５ａに対応して外形状が外方向に突出している突出部５ｂとを有している。把持部５は、正面側の外板２ａに形成されている取付穴部４に突出部５ｂが挿入されて正面側の外板２ａに固定されることとなる。
【００２４】
各外板２の内壁側には、吸音材６が設けられている。すなわち、吸音材６は、外板２と、インシュレーションに覆われている圧縮機との間に設けられることとなる。吸音材６は、ゴム製シートに吸音フェルトを張り付けたものである。この吸音材６は、吸音フェルト側が圧縮機側になるように設けられている。
【００２５】
正面側の外板２ａに対向している吸音材６の一部には、把持部５の突出部５ｂが正面側の外板２ａの取付穴部４に挿入された際に、把持部５の突出部５ｂによって吸音材６の一部が圧縮機側に倒れ込むスリット７が設けられている。
【００２６】
なお、図３には、正面側の外板２ａと、それに対向している吸音材６と、把持部５とのみを示しているが、背面側の外板２ｂについても同様な構造となっている。このように把持部５を正面側の外板２ａおよび背面側の外板２ｂに設けることによって、圧縮機側室外機１ｂ（図２参照）を移動させることが容易とされている。
【００２７】
吸音材６に設けられているスリット７は、図４に示すように、水平方向にスリット７ａが設けられ、スリット７ａの両端には、スリット７ａに直交してスリット７ａよりも長さが短いスリット７ｂが設けられている。スリット７ａとスリット７ｂとによって、スリット７は、略Ｈ型を形成することとなる。
【００２８】
次に、本空気調和装置の圧縮機側室外機１ｂの組立方法について図１から図３を用いて説明する。
ケーシングに収容されている圧縮機の側面および上下面をインシュレーションによって覆う。インシュレーションによって覆われている圧縮機を圧縮機側室外機１ｂを形成している底面部の外板２に固定する。
【００２９】
インシュレーションによって覆われている圧縮機の周囲に吸音材６を設ける。吸音材６は、圧縮機の側面及び上下面を覆うように設けられる。吸音材６には、正面側の外板２ａおよび背面側の外板２ｂに設けられている取付穴部４に対向している位置に略Ｈ型のスリット７を設ける。
【００３０】
吸音材６によって覆われている圧縮機の外側には、取付穴部４を一部に有している正面側の外板２ａおよび背面側の外板２ｂと、残りの側面の外板２と、上下面の外板２とを設ける。
【００３１】
正面側の外板２ａおよび背面側の外板２ｂに設けられている取付穴部４に把持部５の突出部５ｂを挿入する。正面側の外板２ａおよび背面側の外板２ｂに形成されている取付穴部４に把持部５の突出部５ｂを挿入することによって、把持部５の突出部５ｂが正面側の外板２ａおよび背面側の外板２ｂの外側から把持部５に対向している位置の吸音材６を圧縮機側に押し付ける。
【００３２】
吸音材６には、把持部５に対向している位置に略Ｈ型にスリット７が設けられている。そのため、把持部５の突出部５ｂによって圧縮機側に押し付けられた吸音材６は、押し付けられた分だけ圧縮機側に倒れこむこととなる。また、押し付けられて圧縮機側に倒れ込んだ吸音材６は、把持部５の突出部５ｂと当接する。そのため、吸音材６の当接部６ａと突出部５ｂとの間に形成される隙間を小さくすることができる。
【００３３】
以上述べたように、本実施形態に係る空気調和装置の室外機１およびこの組立方法によれば、以下の効果を奏する。
圧縮機の外周を覆っている圧縮機側室外機１ｂの外板２の取付穴部（穴部）４に把持部５の突出部５ｂが挿入された際には、圧縮機の周囲を覆っている吸音材６の一部が把持部５の突出部５ｂによって圧縮機側に倒れ込むように、吸音材６にはスリット７を設けることとした。これにより、突出部５ｂによって押し付けられて圧縮機側に倒れ込んだ吸音材６が把持部５の突出部５ｂに当接する。そのため、従来、把持部５を取り付けるために吸音材６に設けられていた穴に比べて、吸音材６に形成される隙間を小さくすることができる。したがって、吸音材６のスリット７から洩れる騒音を低減することができる。
【００３４】
なお、本実施形態では、吸音材６に設けられているスリット７の形状を略Ｈ型として説明したが、本発明はこれに限定されるものではなく、図５に示すように、略コの字形状としても良い。
図５には、図４に示したスリットの形状の変形例として、略コの字形状のスリット形状が示されている。
略コの字形状とされているスリット８は、水平方向にスリット８ａが設けられており、スリット８ａの両端から下方に向かってスリット８ａに直交するようにスリット８ｂが延在している。スリット８ｂは、スリット８ａの長さに比べて短いものとされている。スリット８ａの両端から下方に向かって延在しているスリット８ｂの延在端は、略内側を向くように傾斜している。
【符号の説明】
【００３５】
１  室外機
２  外板
２ａ  正面側の外板
４  取付穴部（穴部）
５  把持部
６  吸音材
７  スリット
【図１】
2012063114.tif 000003
【図２】
2012063114.tif 000004
【図３】
2012063114.tif 000005
【図４】
2012063114.tif 000006
【図５】
2012063114.tif 000007